(57)【要約】（コンパクトディスク、デジタルビデオディスク、ＣＤ−ＲＯＭディスクなどの）光学の及び／又は音のディスク製品の真正を判定するための新規な高速の高信頼性の検出方法が提示される。特別の透明ケースを利用する特定の方法は、透明特性の利点を最大化する新規の保管ユニット（１１０）の構成である。閉じられた配置では、ディスク（１１６）はユニット（１１０）内部に存在し、ユニットはユニット（１１０）内部に存在する販売促進材料（１１４）も含む。カットアウト部位（１２０）により、ディスク（１１６）の表面上に、ホログラフ像、バーコードなどの真正認証像（１２２）を見ることができる。
2006500703.tif 000002
【特許請求の範囲】
【請求項１】
少なくとも１枚の光学ディスクの真正及び／又はにせの状態を判定する方法であって、
（ａ）少なくとも一つの玉虫色の混合物と、少なくとも一つの玉虫色のパターンと、それらの組み合わせとから構成されるグループから選択される少なくとも一つの真正識別子であって、上記ディスクの少なくとも周縁に沿って識別され得る真正識別子を含む、少なくとも１枚の光学ディスクを設けるステップと、
（ｂ）不可視スペクトラムの範囲内の玉虫色の光源に上記ディスクを晒すステップと、
（ｃ）上記真正識別子の存在を求めて上記の少なくとも１枚のディスクの周縁を調べ、上記真正識別子が存在すれば上記ディスクを真正と考え、上記真正識別子が存在しなければ上記ディスクを真正と考えない、ステップと、
を含む、方法。
【請求項２】
閉じられた透明保管ユニットの内部に存在する少なくとも１枚の光学ディスクの真正及び／又はにせの状態を判定する方法であって、
（ａ）少なくとも一つの真正認証像を含む少なくとも１枚の光学ディスクを設けるステップと、
（ｂ）上記の少なくとも一つの真正認証像の存在を求めて上記の閉じられた透明保管ユニットの内部の上記光学ディスクの周縁を調べ、上記の少なくとも一つの真正認証像が存在すれば上記ディスクを真正と考え、上記の少なくとも一つの真正認証像が存在しなければ上記ディスクを真正と考えない、ステップと、
を含む、方法。
【請求項３】
閉じられた透明保管ユニットの内部に存在する少なくとも１枚の光学ディスクの真正及び／又はにせの状態を判定する方法であって、
（ａ）少なくとも一つの玉虫色の混合物と、少なくとも一つの玉虫色のパターンと、それらの組み合わせとから構成されるグループから選択される少なくとも一つの真正識別子であって、上記ディスクの少なくとも周縁に沿って識別され得る真正識別子を含む、上記の閉じられた透明保管ユニットの内部に光学ディスクを設けるステップと、
（ｂ）不可視スペクトラムの範囲内の玉虫色の光源に上記保管ユニットディスクを晒すステップと、
（ｃ）上記真正識別子の存在を求めて上記の閉じられた透明保管ユニットの内部に依然存在する上記の少なくとも１枚のディスクの周縁を調べ、上記真正識別子が存在すれば上記ディスクを真正と考え、上記真正識別子が存在しなければ上記ディスクを真正と考えない、ステップと、
を含む、方法。
【請求項４】
少なくとも１枚の光学ディスクのための透明熱可塑性保管容器であって、
上記光学ディスクは頂部表面、底部表面、及び周縁縁を有し、
上記容器は、上記保管容器が閉じられた配置にあるとき上記の少なくとも１枚の光学ディスクの全体において上記頂部表面と上記底部表面の両方を見ることを妨げるようなサイズ及び構成からなる販売促進印刷物を内部に含み、
上記の少なくとも１枚の光学ディスクが閉じられた配置の上記保管容器内部に蓄えられ、それと同時に上記販売促進印刷物が、上記の少なくとも１枚の光学ディスクの上記頂部表面か上記底部表面のいずれかの少なくとも一部か又は上記頂部表面と上記底部表面の両方に存在するときに、上記保管容器を開けることなく上記保管容器内部の上記の少なくとも１枚の光学ディスクの存在を判定するために、覘かれるカットアウト部分を、上記販売促進印刷物が更に含む、
保管容器。
【発明の詳細な説明】
【発明の詳細な説明】
【０００１】
［発明の分野］
本発明は、（コンパクトディスク、デジタルビデオディスク、ＣＤ−ＲＯＭディスクなどの）光学の及び／又は音のディスク製品の真正を判断するための新規な高速の高信頼性の検出方法に関する。そのような方法は、ターゲットの光学ディスクのエッジやターゲットのディスクの他の部分の内部に識別子やマーク手段を組み入れることを求めるのであり、不可視光源に晒すことで照射による識別若しくはマーク手段の検出が得られる。そのような識別子又はマーク手段は、透明な保持ケースと共に利用され、光学ディスクはその透明壁を介して晒されこれによりケース自身を開くことを要求しないでにせの又は真正のディスクを検出できる。そのような方法は、ケースから取り出されたディスクや、配置されずケース内部で密閉されるディスクに対しても利用できる。透明の特性の利点を最大化する新規の保管ユニット構成である特定の透明ケースを利用する特別な方法が、本発明の範囲に含まれる。
［背景技術］
【０００２】
コンパクトディスク（ＣＤ）、デジタルビデオディスク（ＤＶＤ）、ＲＯＭを有するコンパクトディスク（ＣＤ−ＲＯＭ）などの光学データ記憶ディスクは、エンターテイメントや計算機の分野で長年利用されてきたが、より印象的な映像成果のための大容量の有用なエンコード情報を伴うＤＶＤが、近年市場に参入している。そのようなディスクは概略、プラスチック材料の層を含み、その一つの面にはエンコードされた情報信号を含むぎざぎざの形態の微起状が形成されている。そのような微起状パターンを示す情報含有面は、ラッカー保護金属被覆反射層で与えられ、レーザセンサにより読み取りが可能になる。ＤＶＤは、そのような微起状パターン層を一つ以上含み、従って情報量を増やすことができる。そのようなＤＶＤはいくつかのフォーマットを示すが、互いに固定される２つの基板を常に含み、各々の基板は少なくとも一つの層を伴って形成される。更に、通常片面のみに存在するディスクのラッカー部位は、ユーザの識別目的、情報目的及び／又は美的目的のための可視のプリント情報を通常配置されている。そのようなディスクのための標準的な且つ特定の製造方法が、（微起状パターンがホログラフ映像を規定するための、金属皮膜表面に対する保護層を形成するラッカー内にエンボスされるホログラフ像を含有するディスクの製造を含む）米国特許第６１６５３９１号及び欧州特許ＥＰ０６０８３５８Ｂ１の中で開示されている。
【０００３】
そのような光学ディスクは、通常、スタンパーが中に備わるインジェクションモールド機械内に注入されるポリカーボネイト材料から形成される。そのスタンパーは、エンコードされた信号を備える次に形成されるディスク内に識別パターンを形成する。特定のモールドにエンコード信号を備えるのに、他の技術は圧縮モールディングを利用する。
【０００４】
このようにディスクは、プラスチック層内に種々の付加物だけでなく表面にホログラフ像を含んでもよく、全てがターゲットのディスクの操作そのものに有害であるというわけではない。このように（通常円形構成で製造される）ディスクの周縁は、内部にエンコードされる情報の音若しくは映像品質に影響することなく、多数の識別目的の利用に有効である。
【０００５】
更に、そのようなディスクのための保管ユニットは、性質上（ＣＤやＣＤ−ＲＯＭなどの）ポリスチレンか、（ＤＶＤの）ブラック（従って不透明な）ポリプロピレンが支配的である。ポリプロピレンは非常にクリアであり、ＣＤやＣＤ−ＲＯＭ保管に関しては一般常識的になっている。しかしながら、そのような材料は、長期間利用に関して信頼性に欠けることが証明されている。ポリスチレンは一般的に容易に破損し易く、ヒンジを設けるには２ピースケースが必要であり、ポリオレフィンより高価である。不透明のポリプロピレンでは、ユニット自身を開ける前には実際のディスクを見ることができない。ポリプロピレンは、ポリスチレンよりも（不意な落下や、固体物との衝突などによる）力に耐えられ、そのような高価な材料よりも廉価である。更に、透明なプロピレンは、他の方法でコストを下げるためにある程度まで同様に利用されている。例えば、ＤＶＤは通常、識別のための表示を示すための、ターゲットの保管ユニットへの透明薄膜の付着ジャケットを含む。このような透明薄膜は相当程度コストが増加するので、保管ユニット製造者の中には、そのようにコストのかかる薄膜スリーブの要求を除去し保管ユニット自身の内部で表示識別子を動かすことが、可能であることに気付いている。このように、十分な透明性があれば、識別表示はボックス自身を開けなくても見ることができる。
【０００６】
保管ユニット設計及び製造におけるこのような発展があっても、その利点を最大化することに欠けていることは、不幸なことである。過去には、ユーザに対する情報目的のために、限定サイズのブックレットが作成されたことがある。そのブックレットは保管ユニットの内部に設置されていたが、通常読みとりの前に保管ユニットから外さなければならなかった。そのブックレットは製造し詰めるのにも多大な費用も要する。このように、ターゲットのディスク保管ユニットの内部に全部の表示情報文書を備える利点を最大化する要求が存在する。現在までのところは、例えば、依然存在する標準的な構成では、記録されたディスクは保管ユニットの内部に残ると、ディスク自身に伴う設定されたプリント情報文字を読み取る障害として作用してしまう。現在までのところは、透明ポリオレフィン保管ユニット材料そのものを利用する利点を最大化するための限定設計を如何に最大化するか、に関する議論も適切な提案もない。
【０００７】
更に、にせの音及び／又は光学のディスクは、付属物産業内で大きな問題である。事実、年間何十億ドルもが、偽造の即ちにせの作品のためにそれぞれの記録産業で損失されている。そのようなにせのディスクの外見は真正品質のものと略同じであるから、その問題と格闘するのは非常に困難であることがわかる。このように、不可能でないにせよ、真正を示すことは概略困難である。そのようなにせのディスクを防ぐ若しくは検出するための過去の試みには、ディスクコンテンツ内に埋込まれたアンチコピー／暗号化技術、デジタル署名、透かしなどが含まれる。しかしながら、解読者が暗号化のための開発をすることはたやすく然も識別子はコピーしやすいため、これらの技術は不十分である。従って、これらのにせの物を止めることは、特に税関（輸入）又はカスタマレベルでは、非常にとらえどころのないものである。このように、にせの物につき必要な検出を促進する単純な方法が、これらの産業にとって非常に重要である。特に興味が持たれているのが、保管ユニット自身を開ける必要なく検出がなされ得（更に、配給業者が予めパッケージされたディスクの価値に影響を与えることなくディスクの真正を判断する簡易な方法を得）るように、（消費者の購買のため概略シュリンク包装される）最終的な保管ユニット内部に配置する際だけでなく、その保管ユニット内部に配置する前にディスクがシュリンク包装されるときに検出を設定することの可能性である。このように、単純な所望の検出方法が今日これらの特定の産業で望まれている。
［発明の目的と概要］
【０００８】
従って、パッケージから外されている状態でも、閉じられた保管ユニット内部にある状態でも、多数のディスクのシュリンク包装パッケージ内にある状態でも、にせの光学ディスクを検出する方法を提供することが本発明の目的である。本発明の別の目的は、不可視スペクトルの範囲内の光に光学ディスクを晒しディスクの縁の合成像を見ることで、光学ディスクの真正を検出する方法を提供することである。本発明の更に別の目的は、ディスクの保管を十分に果たし、同時に所与の情報印刷物を付随する光学ディスクへのアクセスを改良する方法を提供することである。
【０００９】
従って、本発明は次の方法を含む。少なくとも１枚の光学ディスクの真正及び／又はにせの状態を判定する方法であって、
（ａ）少なくとも一つの玉虫色の混合物と、少なくとも一つの玉虫色のパターンと、それらの組み合わせとから構成されるグループから選択される少なくとも一つの真正識別子であって、上記ディスクの少なくとも周縁に沿って識別され得る真正識別子を含む、少なくとも１枚の光学ディスクを設けるステップと、
（ｂ）不可視スペクトラムの範囲内の玉虫色の光源に上記ディスクを晒すステップと、
（ｃ）上記識別子の存在を求めて上記の少なくとも１枚のディスクの周縁を調べ、上記識別子が存在すれば上記ディスクを真正と考え、上記識別子が存在しなければ上記ディスクを真正と考えない、ステップと、
を含む、方法である。また、本発明の範囲内に次の方法が含まれる。閉じられた透明保管ユニットの内部に存在する少なくとも１枚の光学ディスクの真正及び／又はにせの状態を判定する方法であって、
（ａ）少なくとも一つの識別像を含む少なくとも１枚の光学ディスクを設けるステップと、
（ｂ）上記の少なくとも一つの識別像の存在を求めて上記の閉じられた透明保管ユニットの内部の上記光学ディスクの周縁を調べ、上記の少なくとも一つのホログラフが存在すれば上記ディスクを真正と考え、上記の少なくとも一つのホログラフが存在しなければ上記ディスクを真正と考えない、ステップと、
を含む、方法である。更に、本発明の範囲内に次の方法が含まれる。閉じられた透明保管ユニットの内部に存在する少なくとも１枚の光学ディスクの真正及び／又はにせの状態を判定する方法であって、
（ａ）少なくとも一つの玉虫色の混合物と、少なくとも一つの玉虫色のパターンと、少なくとも一つの識別パターンと、それらの組み合わせとから構成されるグループから選択される少なくとも一つの真正識別子であって、上記ディスクの少なくとも周縁に沿って識別され得る真正識別子を含む、上記の閉じられた透明保管ユニットの内部に光学ディスクを設けるステップと、
（ｂ）不可視スペクトラムの範囲内の玉虫色の光源に上記保管ユニットディスクを晒すステップと、
（ｃ）上記識別子の存在を求めて上記の閉じられた透明保管ユニットの内部に依然存在する上記の少なくとも１枚のディスクの周縁を調べ、上記識別子が存在すれば上記ディスクを真正と考え、上記識別子が存在しなければ上記ディスクを真正と考えない、ステップと、
を含む、方法である。最後に、本発明は次のポリオレフィン含有保管ユニットを含む。少なくとも一つの周縁縁を含み光学ディスク保管のための少なくとも一つのローゼットを含むポリオレフィン含有保管ユニットであって、上記の少なくとも一つのローゼットは可動ヒンジを介して上記の少なくとも一つの周縁縁に恒常的に若しくは一時的に取り付けられたアーム上に存在し、上記光学ディスクは上記保管ユニットの外部で操作されそれと共に上記アームに付属し続ける上記ローゼットに付属し、上記アームは上記保管ユニットの上記の少なくとも一つの周縁縁に付属する、保管ユニットである。
【００１０】
本発明に関しては、“真正識別子”という用語は、ターゲットのディスク内部に統合されているものであってもターゲットのディスクの表面に付着するものであっても、好ましくは不可視スペクトル（例えば、赤外光、赤外レーザ、紫外光、紫外レーザなど、限定はない。）の範囲内の光源の利用により明るくなる付加物を含むことを意図する。そのような真正識別子は、唯一の信号の可視認識により結果として検出されるように提供されるというのが好ましい。従って、バーコード、玉虫色の合成物、玉虫色の合成物を交互に混ぜられたバーコードのパターン、玉虫色の合成物のパターン等であればよく、ターゲットの光学ディスクに真正識別子を附することが可能な方法であれば限定はない。
【００１１】
そのような真正識別子はターゲットの光学ディスクのプラスチック層の内部に存在するのが更に好ましく、ターゲットの光学ディスク自身の周縁表面にて付加物の識別ができるように付加されるのが最も好ましい。光学ディスク産業が直面する明白な問題は、個々のディスクは簡単に模造されてしまい輸入の際税関部門を真正品として通過し得ることに関する。概略、所望の保管ディスクに内部にパッケージするに先立ち、そのようなディスクは大量生産され輸送のため一度に数百シュリンク包装される。そのようなシュリンク包装は性質上通常透明であり、保管ユニット内部にパックされる前にシュリンク包装の形態にある場合に個々の個別ディスクの周縁にて真正識別子を容易に識別できる。このようにして、シュリンク包装されたディスクは、必要な真正識別子の存在の為に光により分析され得る。このような方法は、にせの物の不法な輸送を避けるために適正輸入税関公務所による再検査を容易にする。
【００１２】
このような周縁の構成は、当初は透明ケース内部にパックされる保管ユニットにパックされた光学ディスクの真正の認証も容易にする。概略、情報印刷物を付随するディスクは十分に大きいので、保管ユニット自身の両片面により与えられる全体スペースの中に情報印刷物が存在する。この方法では、ターゲットのディスクを容易に確認するための残余のオープンスペースは、透明材料を介する周縁縁部のみである。従って、保管ユニットは上記の分析のために、ディスクの周縁を光らせるための適切なレベルの透明度を示さなくてはならない。しかしながら、要求されないが、保管ユニット自身のプラスチック材料以外に光学ディスクの照明及び分析の障害になるものが実質的に存在しない程度にまで、保管ユニットのデザインが改良されるのが好ましい。例えば、通常のポリプロピレンケースでは、生活ヒンジが利用され、開いて直ぐに２つの然も実質的な対称片面を設けられる完全な（若しくは少なくとも実質的な）対称保管ユニットとする。このような方法では、閉じられた配置で保管ユニットはターゲットのディスクの周縁縁の像を遮る仕切り線を示す。従って、保管ユニットの３つの縁部が仕切り線を含まず周縁縁部の像を遮る障害物がないような、照光されるディスク周縁縁部の像の見え具合を最大化するために、異なるデザインが採用されてもよい。従って、保管ユニットのデザインは非対称でもよく、側面が何ら見え具合の障害とならない底部位の範囲内に保管ディスクが設置されるように、保管ユニットの残余部位に着脱可能で付属され得る頂部フラップに（好適な透明ポリプロピレンのために）生活ヒンジを利用するという構成にしてもよい。そのようなデザインが以下図面で示される。この方法の検出の結果として、中に含まれるディスクは、開口及び／又は取り出しの前に分析されることができ、ターゲットのディスクの価値の損失を回避でき、若しくは配布者、提示者及び／又は消費者のために真正を判断するより簡易な方法を少なくとも提示できる。
【００１３】
ポリプロピレン（好ましくは透明ポリプロピレン）を利用することにより、ポリスチレンジュエルボックスに関する問題も除去される。概略、このようなポリスチレンボックスは堅いが脆く、上述のように、ターゲットのボックスのフラップ部位内部と着脱可能ヒンジ部位のいずれにおいても非常に壊れやすい。更に、このようなボックスは概略、片面から中のターゲットのディスクが見やすいに過ぎない。透明性はポリスチレンの重要な特性である。しかしながら、ジュエルボックスの一つの縁はたいてい、ディスク自身の内部に設けられる作品タイトルにより覆われ、２つの他の縁は側面を通して見ることが殆ど不可能な程度に粗くされている。本発明の方法に係る好適な透明ポリプロピレン保管ユニットを用いれば、ターゲットの保管ユニットの３つの側面で検出の可能性が容易に大きくなる。ポリスチレンは本発明の方法の範囲では好ましくないが、勿論、ターゲットのディスクの周縁縁が見える可能性を相当程度のものにするから、この材料も利用できる。
【００１４】
ホログラフ像は、真正認証即ち反模造技術を提供するため保護ラッカー内の光学ディスクの微起状パターンの内部で生成された。しかしながら、過去にはこのような像のために、反模造マークデバイスを見る前に、保管ユニットからターゲットのディスクを先ず取り出すことが求められた。従って、透明の保管ユニット材料を介して模造を検出する簡易な方法を提供する可能性や、特別の保管ユニット自身の構成は、以前には研究されなかった。このような透明の保管ユニットを用いれば、ケース内部で識別印刷物を動かす前述の利点は、（本明細書では、勿論唯一性を示すホログラフ像、バーコード、又は他の類似の像効果物として定義される）真正認証像の適正な像を判定するのに幾ばくかの困難を伴う。印刷物が大き過ぎ（上述の他の好適な実施形態のように）周縁縁でのみ見えるのであれば、ターゲットのディスクの特定領域にて真正認証像を適切に見せるために印刷物内に開口部が設けられてもよく、適切に見せてターゲットの聴衆に分析させるために真正認証像が周縁縁に配置されてもよい。
【００１５】
保管ユニットの透明性は、少なくとも一つの真正検出の好適な方法のために、非常に重要である。この方法では、保管ユニットが閉じている、シールされている、又はその両方である場合ににせのディスクを判断できることが、容易になるだけでなく許可されることになる。スリーブの内部、又は保管ユニット自身内部のいずれで販売促進印刷物部材が用いられても、概略そのような紙材料は、ターゲットのディスクの表面を見やすくすることを妨げるように配置される。従って、周縁縁を見せることが可能且つ容易でないならば、販売促進材料又は概略より小さい材料の内部にカットアウトパターンを提供するか、ターゲットのディスクの表面を見せるようにするか、いずれかの必要がある。保管ユニット材料の透明性は、ケースからターゲットのディスクを取り外すことなく表面や周縁縁を実際に見せ得ることに適うものである。
【００１６】
この目的のために、ポリプロピレンが非常に望ましく、特に純化されたポリプロピレン（ｃＰＰ）が望ましい。この目的のためには、どの標準的な浄化薬品が用いられてもよいが、しかしながら、置換ベンジリデンソルビットタイプが好ましく、（ＭＩＬＬＡＤ３９８８の登録商標でＭｉｌｌｉｋｅｎ＆Ｃｏｍｐａｎｙから入手できる）３，４−ジメチルジベンジリデンソルビット反応材料が最も好ましい（ＭＩＬＬＡＤ３９４０でもよいが、板状加工及び感覚受容性の問題のため、かような付加物はこの目的には必ずしも望ましくない）。このような付加物は、例えば、Ｓｃｒｉｖｅｎｓその他に対する米国特許第５７３１４７４号の中に示されており、合成物の全重量を基にして、約０．０１〜約２重量％、好ましくは約０．１〜１重量％の量でターゲットのポリプロピレンに概略付加される。
【００１７】
本発明のポリオレフィンポリマーは、脂肪族ポリオレフィンと、少なくとも一つの脂肪族オレフィン及び一つ若しくはそれ以上のエチレン不飽和コモノマーから形成される共重合体を含んでもよい。通常、共重合体は、存在するとしても、ポリオレフィンの全重量を基にして全ポリオレフィンの、例えば約１０％以下若しくは約５％以下の、少量である。そのような共重合体は、ポリオレフィンの透明さの改良を助力するように機能し得るか、ポリマーの他の適性を改良するように機能し得る。酸化アクリルや酢酸ビニールが例に含まれる。本発明により実効的に透明性が改良され得るオレフィンポリマーの例として、ポリエチレン、線形低密度ポリエチレン、ポリプロピレン、結晶エチレンプロピレン共重合体、ポリ（１−ブテン）、１−ヘキセン、１−オクテン、ビニールシクロヘキサン、及びポリメチルペンテンなどの、約１００００から２００００００の、好ましくは３００００から３０００００の、平均原子量を有する２から６の炭素原子を含む脂肪族モノオレフィンのポリマー及び共重合体がある。本発明のポリオレフィンは、例えば実効的な低密度ポリエチレンに見られるような側鎖を選択的に含む基本的に線形の規則的なポリマーとして記述され得る。
【００１８】
好適なポリプロピレン合成物は、特定量の置換ジベンジリデンソルビットをポリプロピレン（若しくは共重合体）に加え適切な手段により混合することにより得られる。一方で、ポリプロピレンのマスターバッチ内の付加物の約２０重量％を含む濃縮物が、準備され樹脂と混合される。更に、浄化付加物（及び他の付加物）は、限定なく粉末、小球、塊、懸濁液などを含む、特に、ポリオレフィン（例えばポリエチレン）ワックス、グリセリンのステアリン酸エステル、モンタン蝋、ミネラルオイルなどの分散補助体を含む、標準的ポリオレフィン付加物の形態で存在し得る。基本的に、混合、塊、コンパクション及び／又は突出を含む組み合わせや合成により、どの形態が示されてもよい。
【００１９】
（例えば、ジオクチルフタラート、ジブチルフタラート、ジオクチルセバケート、ミネラルオイル、若しくはジオクチルアジパートなどの）透明着色薬品若しくは可塑剤のような他の付加物は、製品の透明性の改良に不都合に影響しない限り、本発明の合成物に加えられ得る。上記に例示される可塑剤は実際にジアセタールにより透明性の改良の補助となり得る。特に、所望の物の表面に到達することから、退化したベンゼアルデヒドの移動を減少する目的のために、感覚受容性改良付加物が加えられる。“感覚受容性改良付加物”という用語は、（ポリオレフィン、及びそのポリオレフィン内に存在するターゲットのアルディトール誘導体の両方の減成を防ぐ）酸化防止剤、（残余の酸の相当量がアルディトール誘導体を破壊する可能性を防ぐ）酸中和剤、及び（ヒドラジドやヒドラジンなどのような、ターゲットのポリオレフィン表面におかしな味及びにおいのベンザルデヒドが移動するのをふせぐ）ベンザルデヒドスカベンジャなどの、合成物及び調剤物を含むことを意図する。このような合成物及び調剤物は、必要な感覚受容性を改良するためにはどれだけ加えられてもよい。しかしながら、これらの量は、ターゲットのポリオレフィン自身のための曇り効果にあまり影響すべきではない。従って、全体のポリオレフィン構成の約２０ｐｐｍ〜２０００ｐｐｍのオーダーの量が望まれる。
［ポリオレフィン調剤とテスト］
【００２０】
透明ポリプロピレン光学ディスク保管ユニットは、以下に示すように、ＤＭＤＢＳ浄化薬剤サンプル不斉共重合体ポリプロピレン（ＲＣＰ）を含むように、生成された。ポリプロピレンは、Ｗｅｌｅｘミキサ内にて２０００ｒｐｍ以下で乾燥混合され、４００−４５０°Ｆで単一スクリュー押し出し成形機を介して押し出し成形され、小球状にされて生成された。従って、ターゲットのポリプロピレンのバッチが以下のテーブルに従って生成された。
【００２１】
2006500703.tif 000003
【００２２】
基底樹脂（ランダム共重合体，以下“ＲＣＰ”と言う。）と全ての付加物は、計量され約１６００ｒｐｍで１分間Ｗｅｌｅｘミキサ内にて混合された。全てのサンプルは、４つの加熱ゾーンを経由して約２０４℃〜２３２℃の傾斜温度にてＫｉｌｌｉｏｎ単一スクリュー押し出し成形機上で混ぜ合わされて融解された。押し出し成形機ダイの出口の融解温度は約２４６℃であった。スクリューは、２．５４ｃｍの直径を有し、２４：１の長さ／直径の比を有する。融解する際、溶融ポリマーは６０メッシュ（２５０ミクロン）スクリーンを経由してフィルターされた。このポリプロピレン材料のターゲットの保管ユニットは、適切なモールド構成を利用してＡｒｂｕｒｇ２５トンインジェクションモールダ内に押し出し成形することで形成される。モールダは１９０〜２６０℃のどこかの温度に設定された。この温度は１９０〜２４０℃の範囲が好ましく２００〜２３０℃が最も好ましい（以下のテーブルに対して、標準温度は２２０である。＃は２１０度を示す。＾は２００度を示す。＠は２３０度を示す。）。保管ユニットは、約２００ｍｍ×２００ｍｍ×１．２７ｍｍの寸法を備え、ミラー仕上げを有するモールド内で形成された。モールド冷却循環水は約２５℃の温度で制御された。
【００２３】
曇り値は、ＢＹＫ  Ｇａｒｄｎｅｒ  ＸＬ−２１１透過率計を用いて、ＡＳＴＭ標準テスト方法Ｄ１００３−６１“透明プラスチックの曇り及び発光の透過率のための標準テスト方法”により計測された。（核形成付加物の存在により与えられるポリマー組成の率を示す）核形成能力は、ターゲットのプラークを融解し約２０℃／分の速さでプラークを冷却しポリマー再組成が生じる温度を記録することにより、ポリマー再結晶温度として計測された。作られた保管ユニットの結果としての曇り値は約８．０％であり、本発明の方法に係る真正検出のために内部に保管される光学ディスクを発光せしめるのに十分な透明性のレベルであった。
【００２４】
光学ディスク自身はどの標準的構成でもよく、少なくとも一つのプラスチック層が少なくとも一つの情報層でコートされ、情報層は更に少なくとも一つの金属被膜層でコートされ、金属被膜層は更に少なくともラッカー層でコートされる。プラスチック層は、ＰＥＲＳＰＥＸ（登録商標）（ポリメチルメタクリレート、若しくはＰＵＭＡ）のように圧縮性を有する材料からなり、５ｍｍと２０ｍｍの間の厚さを有することが好ましい。
【００２５】
他のどの金属が用いられてもよいが、金属層はニッケルであるのが好ましい。ラッカーはメタクリレートであるのが好ましい。一般的な製造方法が上述の米国特許６１６５３９１号に示されており、その内容全体は引用されて本明細書に組み入れられるものである。
［図面の詳細な説明］
【００２６】
図１を参照すると光学ディスクが示され、光学ディスクは、通常ポリカーボネイトから形成されるプラスチック基板１０を含み、プラスチック基板１０は、紫外線源に晒されると周縁縁８にて明るくなる紫外線タグ（どのタイプ？）、周縁縁８の中にスタンプされるバーコード、内部に形成されるデータ記録を規定するピットパターンを有する周縁縁８や上表面１１に存在するホログラフ像などの、玉虫色の合成物の少なくともどれかを含むのが好ましい。ピット表面１１には、光反射表面をとなるため金属膜１２が設けられ、金属膜１２は、ＲＥＮＧＯＬＵＸ（登録商標）の商標で販売されているような紫外線硬化樹脂である保護ラッカー層１３で覆われる。
【００２７】
樹脂は通常スピンコーティングによりディスクに塗布される。即ち、樹脂は、金属被膜表面の放射状の最も内側の端から僅かに放射状の内側の位置にてディスクに塗布され、ディスクは相応速度で回転し、従って樹脂はディスクの円周に向かって流れ紫外光に晒されて硬化する。
【００２８】
ポリカーボネイト基板１０が形成される方法は、通常インジェクションモールドによる。情報層で形成される表面を有するスタンパーとして知られる金属板が、インジェクションモールドのキャビティの中に配置され、ポリカーボネイト材料がモールドの中に注入される。
【００２９】
インジェクションモールドプロセスは、情報層を支え実質的に平坦表面を有するポリカーボネイト基板を製造する。ポリカーボネイト基板の厚みは、ディスクの他の箇所の平均厚さより５０ミクロンの範囲で厚みのあるポリカーボネイト基板の周縁リッジ１４以外は、数ミクロンの差異内にある。その結果ディスクは、特に周縁縁８にて、所望の真正識別子又は真正認証像を示す。
【００３０】
図２は、本発明の透明ｃＰＰ保管ユニット３０の所望の構造を示す。このユニット３０は、生活ヒンジ３３，３５を介してユニット３０に付属する移動可能アーム３２、３４を含む。（このようなモールドされる保管ユニット３０の製造は画一的なモールドによりより容易であるから）このような生活ヒンジ３３、３５は好適な実施形態であるが、着脱可能ヒンジ（図示せず。）も利用可能である。ディスク３６、３８は、個別のローゼット４０（他方は図示せず。）によりアーム３２、３４に付属する。移動アーム３４は、ブラケット４２、４４、４６、４８によってユニット３０に対して適所に保持される所望の販売促進印刷物５２を読み且つ／又は見るために、ユニット３０外部で特定のディスク３８を操作できることを示す。他のアーム３２も同様に中で動かされ得る。このような構成で許されるディスクの数は、背ヒンジ５０により分割される個々のユニットのセグメントに付属する各々の移動アームによって、６とされ得る。このように販売促進印刷物５２はユニット３０の内側で動かされ、個々のアーム３２、３４の動きにより若しくは販売促進印刷物が存在する（図示せず）ポリプロピレンの澄んだ壁を介して容易に読み取られる。
【００３１】
図３は、ｃＰＰ保管ユニット８０を経由する紫外線基底の真正識別子を含むディスク８２の真正を判断する一つの好適な方法を示す。保管ユニット８０が閉じられた配置にあれば、頂部フラップ８６は生活ヒンジ８５に付属し、凹部位８７は底面８８、第１の端部９０、及び上記生活ヒンジ８９を含む第２の端部８９を有する。ディスク８２はローゼット４０を介してユニットに付随する。閉じられた配置では、紫外線源９２はユニット８０の中に入り込む紫外光線９２を与える。光線９４はディスク８０にコンタクトすると、玉虫色の結果９８が、ユニット８０の第２の端部８９から見られ（人間の視力及び認識を含む）適当な器具１００により分析されるか、又はユニット８０の第１の端部９０から同様に見られる。そのような真正の識別子は、ディスク８２の周縁端部８１の内部に刻されたバーコード、ディスク８２の周縁縁に配置されるホログラフ像、又は、ディスク８２の内部で統合される若しくは希な好適な例ではディスク８２の周縁縁８１に付着される玉虫色の色を含み得る。同様の方法のパターンを含むそれらの組み合わせも、同じ目的に利用可能である。
【００３２】
図４は、ｃＰＰ保管ユニット１１０の利点を利用する別の好適な実施形態を示す。閉じた配置では、（特に１１６で示される）ディスクはユニット１１０の内部に存在し、ユニット１１０はやはり内部に存在する販売促進部材１１４を含む。従って、カットアウト部位１２０によって、ディスク１１６の表面上の、ホログラフ像やバーコードのような真正像１２２を見ることができる。
【００３３】
このように明白に、にせの検出の適切な簡易な方法がｃＰＰユニットを利用することで得ることができる。構成の改良により、販売促進部材や、商品化ディスクに付随する他の同様の供給品に関して、消費者の楽しみや美的喜びのためのスペースを最大限利用することができるものとなる。
【００３４】
勿論、添付の請求項の精神及び領域の範囲内に含まれると思料される本発明の多数の別の実施形態及び改良が、存在する。
【図面の簡単な説明】
【００３５】
本発明は、添付の図面を参照して、例示としてのみ詳細に説明される。
【図１】コンパクトディスクの断面図である。
【図２】本発明の移動可能ローゼットアーム保管ユニット構成である。
【図３】ターゲットのディスクの周縁の縁の真正識別子を検出するための、透明ポリプロピレン保管ユニットを介してディスクを見る方法を示す。
【図４】ターゲットのディスクの表面の識別像を検出するための、透明ポリプロピレン保管ユニットを介してディスクを見る方法を示す。
【符号の説明】
【００３６】
１０・・・基板、１２・・・金属膜。
【図１】
2006500703.tif 000004
【図２】
2006500703.tif 000005
【図３】
2006500703.tif 000006
【図４】
2006500703.tif 000007
【手続補正書】
【提出日】平成16年12月17日(2004.12.17)
【手続補正１】
【補正対象書類名】特許請求の範囲
【補正対象項目名】全文
【補正方法】変更
【補正の内容】
【特許請求の範囲】
【請求項１】
少なくとも１枚の光学ディスクのための透明熱可塑性保管容器であって、
上記ディスクは可動アーム上に着脱自在に存在し、
上記光学ディスクは頂部表面、底部表面、及び周縁縁を有し、
上記容器は、上記保管容器が閉じられた配置にあるとき上記の少なくとも１枚の光学ディスクの上記頂部表面と上記底部表面の両方を見ることを妨げるようなサイズ及び構成からなる、容器と統合していない販売促進文言を内部に含み、
上記販売促進文言は、上記容器が閉じられた配置にあるとき上記保管容器内部に全体が位置し、
上記の少なくとも１枚の光学ディスクが閉じられた配置の上記保管容器内部に蓄えられ、それと同時に上記販売促進文言が、上記の少なくとも１枚の光学ディスクの上記頂部表面か上記底部表面のいずれかの少なくとも一部か又は上記頂部表面と上記底部表面の両方に存在するときに、上記保管容器を開けることなく上記保管容器内部の上記の少なくとも１枚の光学ディスクの存在を判定するために、覘かれるカットアウト部分を、上記販売促進文言が更に含む、
保管容器。
【請求項２】
少なくとも１枚の光学ディスクのための透明熱可塑性保管容器であって、
上記光学ディスクは頂部表面、底部表面、及び周縁縁を有し、
上記容器は、容器と統合していない販売促進文言を含み、
上記販売促進文言は、上記保管容器が閉じられた配置にあるとき上記の少なくとも１枚の光学ディスクの上記頂部表面及び上記底部表面の少なくとも一部を見ることを妨げるようなサイズ及び構成からなり、
上記販売促進文言は、上記容器が閉じられた配置にあるとき上記保管容器内部に本質的に位置し、
上記販売促進文言の少なくとも一部は、閉じられた配置のとき上記容器の外部から上記光学ディスクを見ることを容易にし、
更に、上記の少なくとも１枚の光学ディスクが閉じられた配置の上記保管容器内部に蓄えられ、それと同時に上記販売促進文言が、上記の少なくとも１枚の光学ディスクの上記頂部表面か上記底部表面のいずれかの少なくとも一部か又は上記頂部表面と上記底部表面の両方に存在するときに、上記保管容器を開けることなく上記保管容器内部の上記の少なくとも１枚の光学ディスクの存在を判定するために、覘かれるカットアウト部分を、上記文言が含む、
保管容器。
【国際調査報告】
2006500703.tif 000008